(57)【要約】【課題】走査光を結像する結像手段の位置を調整した後に、調整した位置を安定して保持することのできる走査光学装置、及び画像品質に優れた画像形成装置を提供する。【解決手段】蓋１０は矢印５２の方向にスライドすることでスナップフィット部５１ａに挿入され、光学箱８に取り付けられるようにする。スナップフィット部５１ｃにおいては、蓋１０のスライド方向（矢印５２方向）への熱膨張等による変形を許容しつつ蓋１０を光学箱８に対して固定する構造とする。蓋１０の取り付け方向は矢印５２であり、この取り付け方向は、曲がり調整を行う矢印１１方向（回転方向）の回転軸と略平行な関係とする。【選択図】　図１
2004054019.tif 000002
【特許請求の範囲】
【請求項１】
走査光を所望の位置に結像させる結像手段と、
各種光学部品を収容する光学箱と、
該光学箱内を密閉する蓋部材と、を備えた走査光学装置において、
前記結像手段の前記光学箱に対する位置を回転方向に調整可能とする調整機構と、
前記蓋部材が、前記光学箱に対して前記調整機構による回転調整方向の回転軸と略平行な方向にスライドされることで、該蓋部材を前記光学箱に固定する固定手段と、を備えることを特徴とする走査光学装置。
【請求項２】
走査光を所望の位置に結像させる結像手段と、
各種光学部品を収容する光学箱と、
該光学箱内を密閉する蓋部材と、を備えた走査光学装置において、
前記結像手段の前記光学箱に対する位置を略直線方向に調整可能とする調整機構と、
前記蓋部材が、前記光学箱に対して前記調整機構による調整方向と略直交する方向にスライドされることで、該蓋部材を前記光学箱に固定する固定手段と、を備えることを特徴とする走査光学装置。
【請求項３】
前記固定手段は、前記蓋部材の前記スライド方向への伸縮による変形を許容しつつ該蓋部材を光学箱に対して固定可能に構成されることを特徴とする請求項１または２に記載の走査光学装置。
【請求項４】
前記固定手段は前記光学箱に設けられたスナップフィットを含むことを特徴とする請求項１，２または３に記載の走査光学装置。
【請求項５】
前記固定手段は複数設けられると共に、
これらの固定手段は、前記結像手段の偏向走査方向の中心に対して略対称に配置されていることを特徴とする請求項１〜４のいずれか一つに記載の走査光学装置。
【請求項６】
請求項１〜５のいずれか一つに記載の走査光学装置と、
該走査光学装置による走査光が照射されて潜像を形成する感光体と、を備えることを特徴とする画像形成装置。
【発明の詳細な説明】
【０００１】
【発明の属する技術分野】
本発明は、走査光学装置及びこれを備えた例えばカラーレザービームプリンタやカラーデジタル複写機等の画像形成装置に関するものである。
【０００２】
【従来の技術】
従来、レーザービームプリンタやデジタル複写機等には走査光学装置が用いられる。
【０００３】
この走査光学装置においては、画像信号に応じて光源から光変調されて出射した光束を、例えば回転多面鏡等の光偏向器によって周期的に偏向走査させる。そして、ｆθ特性を有する結像光学系によって走査された光束を、感光ドラム上の結像面にスポット状に集束させる。結像面上のスポットは、偏向器による主走査と、感光ドラムの回転による副走査に伴って静電潜像を形成し、画像記録を行っている。
【０００４】
図９を参照して従来技術に係る走査光学装置について説明する。図９は従来技術に係る走査光学装置の一部破断斜視図である。
【０００５】
図示のように、走査光学装置１００においては、光源１０１から放射した発散光束は、コリメータレンズ１０２によって略平行光束とされ、絞り１０３によって光束の光量が調整された後に、副走査方向にのみ屈折力を有するシリンドリカルレンズ１０４に入射する。
【０００６】
シリンドリカルレンズ１０４に入射した平行光束は、主走査断面内においてはそのまま略平行光束の状態で、副走査断面内においてのみ集束する光束として出射し、回転多面鏡１０５の反射面１０５ａに線像として結像する。
【０００７】
回転多面鏡１０５の回転によって偏向走査された光束（走査光）は、ｆθ特性を有する結像光学素子であるｆθレンズ１０６を経て感光ドラム１２０の結像面に上に結像する。結像面上に結像する点像（スポット）は、回転多面鏡１０５を矢印Ａ方向に回転させることで、感光ドラム１２０上を矢印Ｂ方向に走査する。このような主走査と、感光ドラム１２０がその回転軸周りに回転することによる副走査を伴って、記録媒体である感光ドラム１２０上に画像記録を行っている。
【０００８】
また、ｆθレンズ１０６（１０６ａ，１０６ｂ）などの光学部品や回転多面鏡１０５の反射面１０５ａが汚れると、光量の低下等により画像に影響がでてしまう。そのため、図１０に示すように、外部からホコリ等が進入しないように、光学装置内は蓋部材１５０と密閉部材１５１により密封されている。
【０００９】
特に回転多面鏡１０５の外周速が速いほど回転多面鏡１０５の反射面１０５ａの汚れは顕著に現れるため、密閉度を増す必要がある。図９中、コリメータレンズ１０２，シリンドリカルレンズ１０４，回転多面鏡１０５，ｆθレンズ１０６はハウジング１５２内に配置される。そして、蓋１５０によりハウジング１５２の開口部を覆うように、蓋１５０をハウジング１５２にビス１５３で固定してハウジング内部を密閉している（例えば特開平１１−０３４３９２号参照）。
【００１０】
ｆθレンズ１０６ｂ上部と蓋１５０間には、密閉部材１５１が適度に圧縮された状態で設けられることで密閉性を確保している。この密閉部材は、例えば弾性のある軟質ウレタンフォーム（密度２０ｋｇ／ｍ３〜６０ｋｇ／ｍ３）等の弾性部材から構成される。更なる密閉が必要な場合は、蓋とハウジングの間にも弾性部材を挟む場合もある。
【００１１】
次に、上記のように構成される走査光学装置を複数個用いて、複数個の感光ドラム上に各色毎の画像情報を記録し、カラー画像を形成するカラー画像形成装置について図１２を参照して説明する。図１２はカラー画像形成装置の模式的断面図である。
【００１２】
この装置は、４個の走査光学装置１００と、それぞれ４個の感光ドラム１２１〜１２４及び現像装置１３１〜１３４と、搬送ベルト１４１を有する。
【００１３】
４個の走査光学装置１００は、Ｃ（シアン），Ｍ（マゼンダ），Ｙ（イエロー），Ｂ（ブラック）の各色に対応して設けられており、それぞれ感光ドラム１２１，１２２，１２３，１２４上に画像信号に応じた走査光を照射して潜像を形成する。そして、これらの潜像を現像装置１３１〜１３４によって各色のトナーにより現像し、各現像を搬送ベルト１４１上のシート材等に転写することで、カラー画像を高速に印字するものである。
【００１４】
カラー画像を形成するにあたり、単一の走査光学装置を用いて各色を被走査面上に重ねる装置の場合には、走査線曲がりや片倍率の癖は各色同じになるので、その影響による色ずれはある程度低減できる。これに対して、複数の走査光学装置と複数の像担持体を組み合わせカラー画像の形成を行う高速対応の画像形成装置の場合には、各色を構成する各走査光学装置の走査線曲がりや片倍率の癖が異なることで、副走査方向のレジストレーションを合わせても各色間での走査線のずれが生じ、高精彩なカラー画像を形成する上では致命的である。
【００１５】
この問題に対して、特開平９−１５９９４４号公開公報に開示された技術においては、結像レンズと感光ドラムの間に透明な平行平板を配置し、この平行平板を、その長手方向の軸線周りに回動させることで走査線曲がりの補正を行っている。また、走査線片倍率の補正の場合には平行平板を長手方向に移動させることで補正を行っている。
【００１６】
このレジストレーションの合わせは数十μｍ以内で行われ、結像レンズを用いて補正する補正量に関しても同等の高精度なレベルが要求される。
【００１７】
しかしながら、平行平板で各々の走査光学装置の走査線形状を補正しても、補正後に光学部品を収納している光学箱の変形等によって、光学部品の相対位置がずれてしまい、走査線形状を変形させ、色ズレを発生させることがある。
【００１８】
この点について、例えば、図１０中のＢ−Ｂ断面図である図１１を用いて説明する。
【００１９】
それぞれ線膨張係数の異なる材質である蓋１５０とハウジング１５２を、複数箇所でビス１５３により固定すると温度変化等で歪みが生じ、上述のような走査線のずれを引き起こす原因となる。
【００２０】
また、密閉部材１５１は結像光学系１０６ｂと蓋１５０間で圧縮され弾性歪みを蓄えた状態で設置されている。密閉部材１５１はウレタンフォーム等が使用され、摩擦係数も高い。そのため、蓋１５０の取り付け時に密閉部材１５１を動かし、更に密閉部材１５１はその摩擦抵抗により結像光学系１０６ｂをつれ動かすことがある。従って、蓋１５０の取り付け方向に規則性がない場合は取り付け方向のバラツキがそのまま走査線ずれのバラツキとなってしまう。
【００２１】
線膨張係数の違う部材を固定した場合でも温度変化による歪を低減させる固定方法として、特開平８−２７８６７０号公開公報に開示されたように、線膨張係数の違う部材の間に弾性部材を設ける方法がある。しかし、追加の部品が発生し、コストアップとなる。
【００２２】
特に近年、カラープリンタの画像品質の向上が進む中、各色間の走査線のずれを低減することは以前にも増して非常に重要である。
【００２３】
【発明が解決しようとする課題】
上述のように、従来技術に係る走査光学装置においては、走査光を結像する結像手段の位置を調整しても、光学箱及び蓋部材の線膨張係数の相違に基づく歪や蓋部材の取り付け作業による影響によって、結像手段の結像位置にずれが生じていた。
【００２４】
本発明の目的は、走査光を結像する結像手段の位置を調整した後に、調整した位置を安定して保持することのできる走査光学装置、及び画像品質に優れた画像形成装置を提供することにある。
【００２５】
【課題を解決するための手段】
上記目的を達成するために本発明にあっては、走査光を所望の位置に結像させる結像手段と、各種光学部品を収容する光学箱と、該光学箱内を密閉する蓋部材と、を備えた走査光学装置において、
結像手段の光学箱に対する位置を調整した後に、蓋部材を光学箱に固定する作業によって、結像手段の調整方向の位置がずれてしまわないように、蓋部材を光学箱に固定する固定手段を備えることを特徴とする。
【００２６】
結像手段の調整機構が、結像手段を光学箱に対して回転方向に調整する構成の場合には、この固定手段は、結像手段の回転調整方向の回転軸と略平行に蓋部材がスライドされることで、蓋部材を光学箱に固定させる構成とすればよい。
【００２７】
これにより、蓋部材のスライドによって結像手段がつられてスライドしたとしても、結像手段の調整手段による調整方向（回転方向）に対しては影響がないため、結像手段の調整方向の位置が保たれる。
【００２８】
また、結像手段の調整機構が、結像手段を光学箱に対して略直線方向に調整する構成の場合には、この固定手段は、結像手段の調整方向と略直交する方向に蓋部材がスライドされることで、蓋部材を光学箱に固定させる構成とすればよい。
【００２９】
これにより、蓋部材のスライドによって結像手段がつられてスライドしたとしても、結像手段の調整手段による調整方向（略直線方向）に対しては影響がないため、結像手段の調整方向の位置が保たれる。
【００３０】
また、固定手段は、蓋部材のスライド方向への伸縮による変形を許容しつつ該蓋部材を光学箱に対して固定可能に構成されると好適である。
【００３１】
このようにすれば、光学箱と蓋部材の線膨張係数の相違によって、蓋部材がスライド方向に伸縮しても、その変形が許容されるため、光学箱の歪を抑制することが可能となる。これにより、光学箱の歪に基づく結像手段の変形や位置ずれを防止できる。
【００３２】
固定手段は複数設けられると共に、これらの固定手段は、結像手段の偏向走査方向の中心に対して略対称に配置されていると好適である。
【００３３】
このように構成することで、蓋部材が固定手段から受ける影響が、結像手段の偏向走査方向の中心に対して略対称となる。これにより、光学箱と蓋部材の線膨張係数の相違による影響を更に抑制することができる。
【００３４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３５】
（第１の実施の形態）
図１〜図６を参照して、本発明の第１の実施の形態に係る走査光学装置について説明する。
【００３６】
図１は本発明の第１の実施の形態に係る走査光学装置の組立途中の斜視図である。図２は本発明の第１の実施の形態に係る走査光学装置の斜視図である。図３は走査線形状の調整の説明図である。図４は従来技術に係る走査光学装置の模式的断面図である。図５は本発明の第１の実施の形態に係る走査光学装置の模式的断面図である。図６は本発明の第１の実施の形態に係る走査光学装置における蓋を取り付けるときの様子を示す側面図である。
【００３７】
まず、走査光学装置の全体構成について、特に図１を参照して説明する。
【００３８】
走査光学装置は、光源ユニット１から発生されたレーザ光Ｌ１を、シリンドリカルレンズ２によって偏向器４に取り付けられた多面鏡３の反射面に線状に集光させ、多面鏡３を回転駆動させることによりレーザ光Ｌ１を偏向走査する。
【００３９】
偏向走査されたレーザ光Ｌ１は、屈折光学素子６からなる屈折部と結像手段としての回折光学素子７からなる回折部から構成されるｆθレンズに入射され、像担持体である回転ドラム１２上の感光体に結像される。
【００４０】
ただし、実施例で示される回折光学素子は、ｆθレンズを構成する他の非球面レンズに置き換えることが可能である。
【００４１】
上記各種光学部品を収納する光学箱８は樹脂成形品である。そして、回折光学素子７の上面に、例えばウレタンフォームなどの弾性部材（密閉部材）９を配置させた状態で、板金で形成された蓋１０を光学箱８に取り付けることによって光学箱内を密閉する。
【００４２】
回折光学素子７は矢印方向１１に回転調整可能に構成されている（調整機構）。そして、回折光学素子７を回転させることで走査線の曲がりを調整することができる。
【００４３】
図３に曲り調整時の走査線形状を紹介する。走査線の曲りが発生する要因としては、偏向器４，屈折光学素子６、あるいは回折光学素子７の配置ずれが挙げられる。走査線の曲りを調整する機構がない場合には、例えば図３（ａ）に示すような曲りを持つ。この時の曲り量をａと定義した場合、回折光学素子７を矢印１１に調整することで図３（ｂ）に示すような走査線の曲り量ｂとなる。従って、図から明らかなようにａ＞ｂとなり、曲り量を少なくすることができる。
【００４４】
蓋１０は板金であり、成形樹脂品の蓋に比べて放熱性が良い。
【００４５】
次に、本実施の形態に係る走査光学装置における蓋の取り付け構造について詳しく説明する。なお、本実施の形態に係る取り付け構造を採用することによる効果を従来例と比較して説明する。
【００４６】
図４は従来技術に係る蓋の取り付け構造を採用した場合を示している。従来秘術においては、蓋を複数の箇所で光学箱にビスで固定する構造である。そして、図４においては、昇温状態の様子を示している。
【００４７】
偏向器や光源ユニット等の駆動により熱が発生すると、そのユニットを収納及び隣接している部材の熱膨張が起こる。ここで、蓋１０の線膨張係数が約１．１×１０−５（１／Ｋ）であるのに対し、光学箱８の線膨張係数が約３．３×１０−５（１／Ｋ）である。従って、蓋１０の変形する量１３と光学箱８の変形する量１４に差が有り、図に示すような変形が発生する。この変形によって光学要素部品が動いてしまうため、安定した光走査を行うことが出来ない。
【００４８】
図５は本実施の形態に係る蓋の取り付け構造を採用した場合を示している。
【００４９】
本実施の形態においては、図１及び図２にも示すように、蓋１０を光学箱８に設けられた１箇所のビス固定部５０と複数の固定手段としてのスナップフィット部５１ａ〜５１ｃによって固定している。
【００５０】
蓋１０は矢印５２の方向にスライドすることでスナップフィット部５１ａに挿入され、光学箱８に取り付けられる。
【００５１】
そして、本実施の形態においては、熱が発生して昇温した場合には、蓋１０と光学箱８に熱膨張が起こる。この時、蓋１０と光学箱８を締結している箇所はビス固定部５０での締結のみであり、スナップフィット部５１ｃでは蓋１０を挟みこんでいる状態である。つまり、スナップフィット部５１ｃにおいては、蓋１０のスライド方向（矢印５２方向）への熱膨張等による変形を許容しつつ蓋１０を光学箱８に対して固定する構造である。なお、スナップフィット部５１ａ，ｂも同様である。
【００５２】
従って、線膨張係数が違うことにより発生する変形（歪変形）を吸収することが出来る。
【００５３】
また、蓋１０の取り付け方向は矢印５２であり、この取り付け方向は、曲がり調整を行う矢印１１方向（回転方向）の回転軸と略平行な関係にある。
【００５４】
すなわち、蓋１０を矢印５２方向にスライドして、スナップフィット部５１ａ〜５１ｃに挿入し、ビス５５で締結する。蓋１０が光学箱８に取り付けられた状態を図２に、スナップフィット部５１ａで蓋１０を保持している状態を図２（ａ）に示す。また、図６に蓋１０と弾性部材９の関係を示す。
【００５５】
弾性部材９は図６（ａ）に示すように、回折光学素子７の上に配置され、蓋１０と接している。蓋１０が矢印５２方向にスライドして光学箱８に取り付けられる際に、弾性部材９は図６（ｂ）に示すように回折光学素子７を矢印５３方向（矢印５２方向と略一致する）に連れ動かそうとする。
【００５６】
従って、回折光学素子７が矢印５３方向にずれてしまうことが考えられる。
【００５７】
しかし、本実施の形態においては、上述のように、スライド方向（矢印５２方向，矢印５３方向）は、回折光学素子７の回転調整方向の回転軸に略平行なため、矢印５３方向に回折光学素子７がずれたとしても、回折光学素子７は回転調整方向にずれることを抑制できる。このようにして、走査線の曲りに与える影響を軽減している。
【００５８】
以上のように、本実施の形態においては、回折光学素子７を調整した後には、蓋１０の取り付け作業によって回折光学素子７の調整した状態が悪影響を受けることは少なく、また、蓋と光学箱の線膨張係数の相違に基づく光学箱の歪を抑制することによって、回折光学素子７の調整した状態が悪影響を受けることを抑えることができる。
【００５９】
従って、本実施の形態に係る走査光学装置を用いることで、所望の位置に曲がりの少ない安定した走査線を照射することができる。
【００６０】
そして、本実施の形態に係る走査光学装置を感光体上に潜像形成するための装置として画像形成装置に適用することで、画像品質が向上する。特に、カラー画像形成装置に適用すれば、色ずれを抑制した画像形成が可能となる。
【００６１】
なお、画像形成装置の全体構成等については、公知技術であり、上記従来技術の中でも説明した通りであるので、ここではその説明は省略する。
【００６２】
（第２の実施の形態）
図７には、第２の実施の形態が示されている。上記第１の実施の形態では、結像手段（回折光学素子）を回転方向に調整する構造において、蓋の取り付け方向を回転調整方向に対する回転軸方向とした場合を説明した。
【００６３】
しかし、これは光学素子の曲り調整方向に限ったものではなく、光学素子の変動方向として走査線に与える影響の最も大きい方向から、蓋の取り付け方向を決定してもかまわない。
【００６４】
つまり、光学素子の位置を調整した後に、蓋の取り付けによって、走査線に与える影響の大きな調整方向がずれてしまわないようにすることが重要である。本実施の形態では、その一例を示す。
【００６５】
なお、走査光学装置の基本的構成は、上記第１の実施の形態と同一であるので、同一の構成部分については同一の符号を付して、その説明は省略する。
【００６６】
図７は本発明の第２の実施の形態に係る走査光学装置の組立途中の斜視図である。
【００６７】
本実施の形態では、回折光学素子の代わりにｆθレンズを構成する他の非球面レンズ７１を用いている。
【００６８】
そして、本実施の形態では、走査線の影響に関しては、非球面レンズ７１による走査線の曲り調整はあまり必要とされず、代わりに直線的な矢印５２方向の変位が最も走査線に影響する構成である。
【００６９】
そこで、本実施の形態においては、矢印５２方向と略直交する矢印５３方向に、蓋１０をスライドさせることで、スナップフィット部５１ａ〜５１ｃによって蓋１０を光学箱８に固定するように構成されている。
【００７０】
従って、本実施の形態においては、蓋１０を取り付ける際に非球面レンズ７１が矢印５３方向にずれてしまうことがあるが、その場合でも、非球面レンズ７１は矢印５２方向にずれてしまうことを抑制できる。これにより走査線への影響を抑制できる。
【００７１】
また、本実施の形態においても、上記第１の実施の形態の場合と同様に、スナップフィット部５１ａ，ｂ，ｃは、蓋１０のスライド方向（矢印５３方向）への熱膨張等による変形を許容しつつ、蓋１０を光学箱８に対して固定する構造である。
【００７２】
従って、線膨張係数が違うことにより発生する変形（歪変形）を吸収することが出来る。
【００７３】
以上のように、本実施の形態においても上記第１の実施の形態と同様に、非球面レンズ７１を調整した後には、蓋１０の取り付け作業によって非球面レンズ７１の調整した状態が悪影響を受けることは少なく、また、蓋と光学箱の線膨張係数の相違に基づく光学箱の歪を抑制することによって、非球面レンズ７１の調整した状態が悪影響を受けることを抑えることができる。
【００７４】
（第３の実施の形態）
図８には、第２の実施の形態が示されている。本実施の形態においては、蓋を光学箱に固定する固定手段の配置位置を工夫した構成としている。
【００７５】
なお、走査光学装置の基本的構成は、上記第１の実施の形態と同一であるので、同一の構成部分については同一の符号を付して、その説明は省略する。
【００７６】
図８は本発明の第３の実施の形態に係る走査光学装置の組立途中の斜視図である。
【００７７】
図８に示すように、本実施の形態においては、ネジ固定位置とスナップフィット部をｆθレンズの偏向走査方向の中心線Ｌに対して線対称に配置するように構成した。
【００７８】
具体的には、１箇所のビス固定部６０はｆθレンズの偏向走査方向の中心線Ｌ上にある。スナップフィット部６１ａ〜６１ｄはｆθレンズの偏向走査方向の中心線Ｌに対して線対称に配置されている。
【００７９】
本体との固定に使用されている固定部６２ａ〜６２ｃは例えば３点で固定されている。ビス固定部６０は本体との固定に使用されている固定部６２ａ〜６２ｃと近傍に配置されている。
【００８０】
以上の構成により、蓋１０を挿入したときにスナップフィットに発生するモーメントがｆθレンズの偏向走査方向の中心線Ｌに対して対称に発生することと、線膨張係数の違う部材の拘束点が偏向走査方向の中心線Ｌ上に配置することが出来ることで、走査線を傾かせるような変形を起こし難くすることが出来る。
【００８１】
以上のように、線膨張係数の違う光学箱と板金蓋を、１箇所のネジ締結と複数のスナップフィットで固定することで、熱による変形を軽減出来、走査線に与える影響を軽減することが出来る。また、蓋の取り付け方向が走査線に与える影響が少ない方向に規制されていることで安定した生産を行うことが可能となる。
【００８２】
尚、これまでの実施の形態では１箇所のネジ締結と複数のスナップフィットで説明を行ったが、固定手段が全てスナップフィットで構成される場合でも同様の効果が得られることは言うまでも無い。
【００８３】
【発明の効果】
以上説明したように、本発明の走査光学装置により、走査光を結像する結像手段の位置を調整した後に、調整した位置を安定して保持することができる。
【００８４】
また、このような走査光学装置を画像形成装置に適用することで画像品質を向上させることができる。
【図面の簡単な説明】
【図１】本発明の第１の実施の形態に係る走査光学装置の組立途中の斜視図である。
【図２】本発明の第１の実施の形態に係る走査光学装置の斜視図である。
【図３】走査線形状の調整の説明図である。
【図４】従来技術に係る走査光学装置の模式的断面図である。
【図５】本発明の第１の実施の形態に係る走査光学装置の模式的断面図である。
【図６】本発明の第１の実施の形態に係る走査光学装置における蓋を取り付けるときの様子を示す側面図である。
【図７】本発明の第２の実施の形態に係る走査光学装置の組立途中の斜視図である。
【図８】本発明の第３の実施の形態に係る走査光学装置の組立途中の斜視図である。
【図９】従来技術に係る走査光学装置の一部破断斜視図である。
【図１０】従来技術に係る走査光学装置の概略構成図である。
【図１１】図１０中Ｂ−Ｂ断面図である。
【図１２】カラー画像形成装置の模式的断面図である。
【符号の説明】
１　光源ユニット
２　シリンドリカルレンズ
３　多面鏡
４　偏向器
６　屈折光学素子
７　回折光学素子
８　光学箱
９　弾性部材
１０　蓋
１２　回転ドラム
５０　ビス固定部
５１ａ，ｂ，ｃ　スナップフィット部
５５　ビス
６０　ビス固定部
６１ａ，ｂ，ｃ，ｄ　スナップフィット部
６２ａ　固定部
７１　非球面レンズ
【図１】
2004054019.tif 000003
【図２】
2004054019.tif 000004
【図３】
2004054019.tif 000005
【図４】
2004054019.tif 000006
【図５】
2004054019.tif 000007
【図６】
2004054019.tif 000008
【図７】
2004054019.tif 000009
【図８】
2004054019.tif 000010
【図９】
2004054019.tif 000011
【図１０】
2004054019.tif 000012
【図１１】
2004054019.tif 000013
【図１２】
2004054019.tif 000014